(57)【要約】      （修正有）【課題】データセンタ等の複数のサーバを設置する所定の区域内に余分なスペースを必要とせず、付帯設備を整備する作業や空調設備の性能を検証する作業を軽減することができるサーバ更新方法を提供する。【解決手段】サーバ更新方法は、サーバルーム内に設置された複数の既設サーバのうち、新設サーバに更新する更新対象の既設サーバ１２ａによる情報処理を一時的に代替する可搬型の仮設サーバ設備２をサーバルーム外に設置する工程と、仮設サーバ設備の稼働を開始する工程と、仮設サーバ設備の稼働を開始した後、更新対象の既設サーバを撤去し、更新対象の既設サーバを撤去した位置に新設サーバ１２ｂを設置する工程と、新設サーバの稼働を開始する工程と、新設サーバの稼働を開始した後、仮設サーバ設備の稼働を停止し、仮設サーバ設備を撤去する工程と、を備える。【選択図】図４
2020024617.tif 000002
【特許請求の範囲】
【請求項１】
所定の区域内に設置された複数の既設サーバのうち、新設サーバに更新する更新対象の既設サーバによる情報処理を一時的に代替する可搬型の仮設サーバを前記区域外に設置する工程と、
前記区域外に設置された前記仮設サーバの稼働を開始する工程と、
前記仮設サーバの稼働を開始した後、前記更新対象の既設サーバを撤去し、前記更新対象の既設サーバを撤去した位置に前記新設サーバを設置する工程と、
前記更新対象の既設サーバを撤去した位置に設置された前記新設サーバの稼働を開始する工程と、
前記新設サーバの稼働を開始した後、前記仮設サーバの稼働を停止し、前記仮設サーバを撤去する工程と、を含む、
ことを特徴とするサーバ更新方法。
【請求項２】
情報処理装置が実行するサーバ更新方法であって、
所定の区域内に設置された複数の既設サーバのうち、新設サーバに更新する更新対象の既設サーバを受け付ける受付ステップと、
前記受付ステップにより受け付けられた前記更新対象の既設サーバによる情報処理を一時的に代替する可搬型の仮設サーバを前記区域外に設置し、前記仮設サーバの稼働を開始することを指示する第１の指示情報を出力する第１の指示出力ステップと、
前記第１の指示出力ステップにより前記第１の指示情報が出力されたとき、前記仮設サーバの稼働が開始されたか否かを検出する第１の検出ステップと、
前記第１の検出ステップにより前記仮設サーバの稼働が検出されたとき、前記受付ステップにより受け付けられた前記更新対象の既設サーバを撤去するとともに、前記更新対象の既設サーバを撤去した位置に前記新設サーバを設置し、前記新設サーバの稼働を開始することを指示する第２の指示情報を出力する第２の指示出力ステップと、
前記第２の指示出力ステップにより前記第２の指示情報が出力されたとき、前記新設サーバの稼働が開始されたか否かを検出する第２の検出ステップと、
前記第２の検出ステップにより前記新設サーバの稼働が検出されたとき、前記仮設サーバの稼働を停止し、前記仮設サーバを撤去することを指示する第３の指示情報を出力する第３の指示出力ステップと、を含む、
ことを特徴とするサーバ更新方法。
【請求項３】
前記仮設サーバは、
車両に搭載されるとともに、
前記既設サーバによる情報処理を一時的に代替して、前記情報処理を行う情報処理部と、
冷却液で満たされた液浸槽に前記情報処理部を浸すことで前記情報処理部を冷却する液浸冷却部と、を備える、
ことを特徴とする請求項１又は請求項２に記載のサーバ更新方法。
【請求項４】
所定の区域内に設置された複数の既設サーバのうち、新設サーバに更新する更新対象の既設サーバを受け付ける受付手段と、
前記受付手段により受け付けられた前記更新対象の既設サーバによる情報処理を一時的に代替する可搬型の仮設サーバを前記区域外に設置し、前記仮設サーバの稼働を開始することを指示する第１の指示情報を出力する第１の指示出力手段と、
前記第１の指示出力手段により前記第１の指示情報が出力されたとき、前記仮設サーバの稼働が開始されたか否かを検出する第１の検出手段と、
前記第１の検出手段により前記仮設サーバの稼働が検出されたとき、前記受付手段により受け付けられた前記更新対象の既設サーバを撤去するとともに、前記更新対象の既設サーバを撤去した位置に前記新設サーバを設置し、前記新設サーバの稼働を開始することを指示する第２の指示情報を出力する第２の指示出力手段と、
前記第２の指示出力手段により前記第２の指示情報が出力されたとき、前記新設サーバの稼働が開始されたか否かを検出する第２の検出手段と、
前記第２の検出手段により前記新設サーバの稼働が検出されたとき、前記仮設サーバの稼働を停止し、前記仮設サーバを撤去することを指示する第３の指示情報を出力する第３の指示出力手段と、を備える、
ことを特徴とするサーバ更新装置。
【請求項５】
車両に搭載される可搬型のサーバ設備であって、
情報処理を行う情報処理部と、
冷却液で満たされた液浸槽に前記情報処理部を浸すことで前記情報処理部を冷却する液浸冷却部と、を備える、
ことを特徴とするサーバ設備。
【発明の詳細な説明】
【技術分野】
【０００１】
本発明は、データセンタ等の所定の区域内に設置された複数の既設サーバのうち、更新対象の既設サーバを新設サーバに更新する際のサーバ更新方法、サーバ更新装置及びサーバ設備に関する。
【背景技術】
【０００２】
データセンタでは、複数のサーバが、所定の区域内に設置されたラックに収容された状態で稼働している。このようなデータセンタにおいて、各サーバは、老朽化や性能向上等の観点から、例えば、３年〜５年程度の更新期間毎に新しいサーバに更新される。
【０００３】
例えば、特許文献１には、複数のコンピュータが配置されるデータセンタにおいて、コンピュータ室を管理年度毎に複数のエリアに区分し、さらにエリア内を耐用年数毎に複数のゾーンに区分するコンピュータ室の設置機器管理方法が開示されている。
【先行技術文献】
【特許文献】
【０００４】
【特許文献１】特開２０１２−１２８７４０号公報
【発明の概要】
【発明が解決しようとする課題】
【０００５】
しかし、特許文献１に開示されたコンピュータ室の設置機器管理方法では、管理年度毎に区分したエリア、及び、耐用年数毎に区分したゾーンでコンピュータの配置を管理するため、進行中の管理年度にコンピュータを設置する第３のエリアや、進行中の管理年度の翌年以降の管理年度にコンピュータを設置する第４のエリアなど、将来的にコンピュータを設置するエリアのためにスペースを余分に確保する必要がある、という問題点があった。
【０００６】
また、特許文献１に開示されたコンピュータ室の設置機器管理方法では、耐用年数を過ぎたコンピュータが撤去されたり、新しいコンピュータが設置されたりする度に、コンピュータ室内におけるコンピュータの配置が変わるため、ネットワーク装置、電源装置、センサ装置等の付帯設備を整備する作業が発生する、という問題点があった。さらに、コンピュータの配置が変わる結果、コンピュータ室内における空調環境も変わるため、空調設備を再設定する必要があるのか、空調設備を増強する必要があるのかといった空調設備の性能を検証する作業が発生する、という問題点があった。
【０００７】
本発明は、このような事情に鑑みてなされたものであって、データセンタ等の複数のサーバを設置する所定の区域内に余分なスペースを必要とせず、付帯設備を整備する作業や空調設備の性能を検証する作業を軽減することができるサーバ更新方法、サーバ更新装置及びサーバ設備を提供することを目的とする。
【課題を解決するための手段】
【０００８】
本発明は、上記課題を解決するものであって、本発明の一実施形態に係るサーバ更新方法は、
所定の区域内に設置された複数の既設サーバのうち、新設サーバに更新する更新対象の既設サーバによる情報処理を一時的に代替する可搬型の仮設サーバを前記区域外に設置する工程と、
前記区域外に設置された前記仮設サーバの稼働を開始する工程と、
前記仮設サーバの稼働を開始した後、前記更新対象の既設サーバを撤去し、前記更新対象の既設サーバを撤去した位置に前記新設サーバを設置する工程と、
前記更新対象の既設サーバを撤去した位置に設置された前記新設サーバの稼働を開始する工程と、
前記新設サーバの稼働を開始した後、前記仮設サーバの稼働を停止し、前記仮設サーバを撤去する工程と、を含む、
ことを特徴とする。
【０００９】
また、本発明の一実施形態に係るサーバ更新方法は、
所定の区域内に設置された複数の既設サーバのうち、新設サーバに更新する更新対象の既設サーバを受け付ける受付ステップと、
前記受付ステップにより受け付けられた前記更新対象の既設サーバによる情報処理を一時的に代替する可搬型の仮設サーバを前記区域外に設置し、前記仮設サーバの稼働を開始することを指示する第１の指示情報を出力する第１の指示出力ステップと、
前記第１の指示出力ステップにより前記第１の指示情報が出力されたとき、前記仮設サーバの稼働が開始されたか否かを検出する第１の検出ステップと、
前記第１の検出ステップにより前記仮設サーバの稼働が検出されたとき、前記受付ステップにより受け付けられた前記更新対象の既設サーバを撤去するとともに、前記更新対象の既設サーバを撤去した位置に前記新設サーバを設置し、前記新設サーバの稼働を開始することを指示する第２の指示情報を出力する第２の指示出力ステップと、
前記第２の指示出力ステップにより前記第２の指示情報が出力されたとき、前記新設サーバの稼働が開始されたか否かを検出する第２の検出ステップと、
前記第２の検出ステップにより前記新設サーバの稼働が検出されたとき、前記仮設サーバの稼働を停止し、前記仮設サーバを撤去することを指示する第３の指示情報を出力する第３の指示出力ステップと、を含む、
ことを特徴とする。
【００１０】
また、本発明の一実施形態に係るサーバ更新方法は、
可搬型の仮設サーバは、
車両に搭載されて運搬され、
前記既設サーバによる情報処理を一時的に代替して、前記情報処理を行う情報処理部と、
前記情報処理部を冷却する液浸冷却部と、を備える、
ことを特徴とする。
【００１１】
また、本発明の一実施形態に係るサーバ更新装置は、
所定の区域内に設置された複数の既設サーバのうち、新設サーバに更新する更新対象の既設サーバを受け付ける受付手段と、
前記受付手段により受け付けられた前記更新対象の既設サーバによる情報処理を一時的に代替する可搬型の仮設サーバを前記区域外に設置し、前記仮設サーバの稼働を開始することを指示する第１の指示情報を出力する第１の指示出力手段と、
前記第１の指示出力手段により前記第１の指示情報が出力されたとき、前記仮設サーバの稼働が開始されたか否かを検出する第１の検出手段と、
前記第１の検出手段により前記仮設サーバの稼働が検出されたとき、前記受付手段により受け付けられた前記更新対象の既設サーバを撤去するとともに、前記更新対象の既設サーバを撤去した位置に前記新設サーバを設置し、前記新設サーバの稼働を開始することを指示する第２の指示情報を出力する第２の指示出力手段と、
前記第２の指示出力手段により前記第２の指示情報が出力されたとき、前記新設サーバの稼働が開始されたか否かを検出する第２の検出手段と、
前記第２の検出手段により前記新設サーバの稼働が検出されたとき、前記仮設サーバの稼働を停止し、前記仮設サーバを撤去することを指示する第３の指示情報を出力する第３の指示出力手段と、を備える、
ことを特徴とする。
【００１２】
また、本発明の一実施形態に係るサーバ設備は、
車両に搭載される可搬型のサーバ設備であって、
情報処理を行う情報処理部と、
冷却液で満たされた液浸槽に前記情報処理部を浸すことで前記情報処理部を冷却する液浸冷却部と、を備える、
ことを特徴とする。
【発明の効果】
【００１３】
本発明の一実施形態に係るサーバ更新方法、サーバ更新装置及びサーバ設備によれば、所定の区域内に設置された複数の既設サーバのうち、更新対象の既設サーバによる情報処理を一時的に代替する可搬型の仮設サーバを区域外に設置した後、更新対象の既設サーバを撤去した位置に新設サーバを設置し、新設サーバの稼働を開始した後、仮設サーバを撤去するものである。そのため、更新対象の既設サーバによる情報処理を一時的に代替する仮設サーバは、区域外に設置されるので、区域内にサーバを更新するために余分なスペースを必要としない。また、新設サーバは、更新対象の既設サーバを撤去した位置に設置されるので、新設サーバでは、既設サーバで使用されていた付帯設備を使用することができるため、付帯設備を整備する作業を軽減することができる。さらに、新設サーバは、更新対象の既設サーバを撤去した位置に設置されるので、サーバの更新前後で空調環境が大きく変わらないため、空調設備の性能を検証する作業を軽減することができる。
【図面の簡単な説明】
【００１４】
【図１】本発明の実施形態に係るデータセンタ１を示す全体構成図である。
【図２】（ａ）は、本発明の実施形態に係る仮設サーバ設備２に搭載可能な一般的な液浸冷却装置１３を示す概略構成図、（ｂ）は、本発明の実施形態に係る仮設サーバ設備２を示す概略構成図である。
【図３】本発明の実施形態に係るデータセンタ管理装置６を示すブロック図である。
【図４】本発明の実施形態に係るデータセンタ１において、データセンタ管理装置６が実行するサーバ更新方法を示すフローチャートである。
【図５】本発明の実施形態に係るデータセンタ１におけるサーバ更新方法を実行する際のサーバの状態を示し、（ａ）は、更新対象の既設サーバ１２ａを受け付けた状態、（ｂ）は、仮設サーバ設備２がサーバルーム１０外に設置された状態、（ｃ）は、仮設サーバ設備２の稼働が開始された状態を示す説明図である。
【図６】本発明の実施形態に係るデータセンタ１におけるサーバ更新方法を実行する際のサーバの状態を示し、（ａ）は、更新対象の既設サーバ１２ａが撤去された状態、（ｂ）は、新設サーバ１２ｂが設置された状態、（ｃ）は、新設サーバ１２ｂの稼働が開始され、仮設サーバ設備２が撤去された状態（サーバ更新後の状態）を示す説明図である。
【発明を実施するための形態】
【００１５】
以下、本発明の一実施形態について添付図面を参照しつつ説明する。
【００１６】
図１は、本発明の実施形態に係るデータセンタ１を示す全体構成図である。データセンタ１は、建物の所定の区域内であるサーバルーム１０内に設置された複数のラック１１と、複数のラック１１に収容された複数の既設サーバ１２と、装置間を相互に通信可能に接続するネットワーク装置３と、サーバルーム１０及び既設サーバ１２の空調を行う空調装置４と、サーバルーム１０の環境として、例えば、温度、湿度等を検出する環境検出装置５と、既設サーバ１２、ネットワーク装置３及び空調装置４等の動作を制御するデータセンタ管理装置（サーバ更新装置）６と、データセンタ１の管理者が使用する管理者端末７と、各装置に電力を供給する配電盤、電源ケーブル、電源タップ等の電源装置（不図示）とを備える。
【００１７】
また、データセンタ１は、サーバルーム１０外に設置されて、既設サーバ１２による情報処理を一時的に代替する可搬型の仮設サーバ設備２がネットワーク装置３を介して接続可能に構成されている。
【００１８】
複数のラック１１は、例えば、ラック１１の列が互いに平行となるように整列されて配置されている。複数のラック１１の各々は、既設サーバ１２を収容する収納部として構成されている。なお、図１では、複数のラック１１が、１列当たり１２台として、３列に平行に並べられたものであるが、ラック１１の配置や台数は任意に変更してもよい。また、ラック１１に収容する電子機器としては、既設サーバ１２の他に、例えば、ネットワーク装置３や、複数の記憶装置を搭載可能なストレージ装置等でもよい。
【００１９】
複数の既設サーバ１２の各々は、データセンタ管理装置６や外部装置からネットワーク装置３を介して受信したコマンドに応じて、各種の情報処理を行う。なお、複数の既設サーバ１２が、１つの仮想サーバを構成してもよいし、１つの既設サーバ１２が、複数の仮想サーバを構成してもよい。
【００２０】
既設サーバ１２は、老朽化や性能向上等の観点から、稼働を開始してから、例えば、３年〜５年程度の更新期間が経過すると、ラック１１から撤去され、その撤去されたラック１１の空きスペースに新設サーバが設置される。
【００２１】
ネットワーク装置３は、ルータ、スイッチングハブ、通信ケーブル等により構成されており、データセンタ１が備える各装置の間を通信可能に接続するとともに、データセンタ１が備える各装置と外部装置との間を通信可能に接続する。また、ネットワーク装置３は、所定の区域外であるサーバルーム１０外に設置された可搬型の仮設サーバ設備２を接続するネットワーク接続部３０を備える。なお、通信の形態は、有線でも無線でもよいし、また、専用回線でもインターネット回線でもよい。
【００２２】
空調装置４は、サーバルーム１０の各所に設置されており、データセンタ管理装置６からネットワーク装置３を介して受信したコマンドに応じて、起動、停止又は温度、風力、風向等の調節を行うことで、サーバルーム１０及び既設サーバ１２の空調制御を行う。
【００２３】
環境検出装置５は、サーバルーム１０の各所に設置されており、例えば、温度センサ、湿度センサ、赤外線カメラ等により構成されている。なお、環境検出装置５は、ラック１１に設置されていてもよい。
【００２４】
管理者端末７は、例えば、データセンタ１の管理室に設置された汎用のコンピュータ等の情報処理装置や、管理者が携帯可能なタブレット、スマートフォン等の携帯端末機器により構成されている。管理者端末７は、入力画面を介して管理者から各種の入力を受け付けるととともに、表示画面を介して管理者に各種の情報を提示する。
【００２５】
なお、図１では、データセンタ管理装置６及び管理者端末７は、サーバルーム１０外に設置されているが、サーバルーム１０内に設置されていてもよい。図１では、データセンタ管理装置６及び管理者端末７は、それぞれ１つであるが、それぞれ複数であってもよく、例えば、複数のデータセンタ管理装置６に、既設サーバ１２、ネットワーク装置３及び空調装置４の動作をそれぞれ制御する機能を分散させてもよい。図１では、空調装置４、環境検出装置５及び管理者端末７は、ネットワーク装置３に接続されているが、ネットワーク装置３に接続せずに、ネットワーク装置３とは別の通信路によりデータセンタ管理装置６に接続されていてもよい。
【００２６】
図２（ａ）は、本発明の実施形態に係る仮設サーバ設備２に搭載可能な一般的な液浸冷却装置１３を示す概略構成図である。ここでは、液浸冷却装置１３は、液浸用サーバ１２０を冷却するものとして説明する。液浸冷却装置１３は、液浸用サーバ１２０を冷却する冷却液１３０で満たされた液浸槽１３１と、第１の循環流路１３２を介して液浸槽１３１との間で冷却液１３０が循環される熱交換器１３３と、第２の循環流路１３４を介して熱交換器１３３との間で冷媒１３５が循環されるチラー１３６とを備える。
【００２７】
また、液浸冷却装置１３は、第１の循環流路１３２に、冷却液１３０を循環する第１の循環ポンプ１３７を備えるとともに、第２の循環流路１３４に、冷媒１３５を循環する第２の循環ポンプ１３８を備える。
【００２８】
冷却液１３０は、絶縁性の液体であり、例えば、フッ素系不活性液を用いる。液浸槽１３１は、複数の液浸用サーバ１２０を冷却液１３０に浸した状態で液浸用サーバ１２０を着脱可能に支持する。チラー１３６は、コンプレッサ、膨張弁、凝縮器等の冷凍サイクル（不図示）を備える。
【００２９】
液浸用サーバ１２０が稼働することにより発生した熱は、液浸槽１３１内の冷却液１３０に移動する。そして、液浸用サーバ１２０の熱が移動し、昇温した冷却液１３０は、第１の循環ポンプ１３７により第１の循環流路１３２を介して熱交換器１３３に送られると、冷却液１３０の熱を熱交換器１３３により冷媒１３５に移動させることで、冷却液１３０を降温させた後、冷却液１３０は液浸槽１３１に戻される。また、冷却液１３０の熱が移動し、昇温した冷媒１３５は、第２の循環ポンプ１３８により第２の循環流路１３４を介してチラー１３６に送られると、冷媒１３５の熱をチラー１３６により外気に放熱させることで冷媒１３５を降温させた後、冷媒１３５は熱交換器１３３に戻される。このようにして、液浸冷却装置１３は、冷却液１３０で満たされた液浸槽１３１に液浸用サーバ１２０を浸すことで液浸用サーバ１２０を冷却する。
【００３０】
図２（ｂ）は、本発明の実施形態に係る可搬型の仮設サーバ設備２を示す概略構成図である。可搬型の仮設サーバ設備２は、車両２０の車体２１に搭載されており、車両２０によって移動可能な設備である。
【００３１】
可搬型の仮設サーバ設備２は、既設サーバ１２による情報処理を一時的に代替して、その情報処理を行う情報処理部である仮設サーバ２２と、仮設サーバ２２を冷却する液浸冷却部２３とを備える。仮設サーバ２２及び液浸冷却部２３の動作に必要な電源は、車両２０から供給されるようにしてもよいし、外部電源から供給されるようにしてもよい。
【００３２】
液浸冷却部２３は、液浸冷却装置１３と同様の構成を備え、冷却液２３０で満たされた液浸槽２３１に仮設サーバ２２を浸すことで仮設サーバ２２を冷却する。すなわち、液浸冷却部２３は、車両２０の車体２１に固定され、仮設サーバ２２を冷却する冷却液２３０で満たされた液浸槽２３１と、第１の循環流路２３２を介して液浸槽２３１との間で冷却液２３０が循環される熱交換器２３３と、第２の循環流路２３４を介して熱交換器２３３との間で冷媒２３５が循環されるチラー２３６とを備える。
【００３３】
また、液浸冷却部２３は、第１の循環流路２３２に、冷却液２３０を循環する第１の循環ポンプ２３７を備えるとともに、第２の循環流路２３４に、冷媒２３５を循環する第２の循環ポンプ２３８を備える。なお、液浸冷却部２３のその他の点は、液浸冷却装置１３と同様であるため、説明を省略する。
【００３４】
図３は、本発明の実施形態に係るデータセンタ管理装置６を示すブロック図である。データセンタ管理装置６は、例えば、汎用のコンピュータ等の情報処理装置により構成されている。
【００３５】
データセンタ管理装置６は、キーボード、タッチパネル等により構成される入力部６０と、ＨＤＤ、メモリ等により構成される記憶部６１と、ＣＰＵ等のプロセッサにより構成される制御部６２と、ディスプレイ、スピーカ等により構成される出力部６３と、ネットワーク装置３との通信インターフェースである通信部６４とを備える。
【００３６】
記憶部６１には、ネットワーク装置３、空調装置４、環境検出装置５及び電源装置等によりサーバルーム１０を管理するために必要な各種設定であるサーバルーム設定情報６１０と、複数の既設サーバ１２を管理するために必要な各種設定であるサーバ設定情報６１１と、既設サーバ１２の更新方法を実行するためのサーバ更新プログラム６１２とが記憶されている。
【００３７】
サーバルーム設定情報６１０には、例えば、ネットワーク装置３のネットワークに関する設定情報、空調装置４の空調能力や配置に関する設定情報、環境検出装置５のセンサの種類や配置に関する設定情報、及び、電源装置の電源容量や配置に関する設定情報等が記憶されている。
【００３８】
サーバ設定情報６１１には、既設サーバ１２毎に、例えば、サーバ名、既設サーバ１２が提供するサービス、既設サーバ１２へのアクセス権、既設サーバ１２の稼働開始日時、既設サーバ１２の稼働累積時間等の既設サーバ１２に関する設定情報が記憶されている。
【００３９】
制御部６２は、環境検出装置５により検出されたサーバルーム１０の環境、並びに、記憶部６１に記憶されたサーバルーム設定情報６１０、及び、サーバ設定情報６１１に応じて、既設サーバ１２、ネットワーク装置３及び空調装置４に各種コマンドを送信することで、既設サーバ１２、ネットワーク装置３及び空調装置４の動作を制御する。
【００４０】
また、制御部６２は、記憶部６１に記憶されたサーバ更新プログラム６１２を実行することにより、受付手段６２０、第１の指示出力手段６２１、第１の検出手段６２２、第２の指示出力手段６２３、第２の検出手段６２４、及び、第３の指示出力手段６２５として機能する。
【００４１】
受付手段６２０は、サーバルーム１０内に設置された複数の既設サーバ１２のうち、新設サーバに更新する更新対象の既設サーバ１２を受け付ける。受付手段６２０は、例えば、管理者が、入力部６０又は管理者端末７を介して更新対象の既設サーバ１２を入力することにより、更新対象の既設サーバ１２を受け付けてもよいし、サーバ設定情報６１１として、既設サーバ１２の稼働を開始した稼働開始日時を記憶し、稼働開始日時から現在日時までの経過期間が既設サーバ１２の更新期間を超えることを検出することにより、更新対象の既設サーバ１２を受け付けてもよい。
【００４２】
第１の指示出力手段６２１は、受付手段６２０により受け付けられた更新対象の既設サーバ１２による情報処理を一時的に代替する可搬型の仮設サーバ設備２を、所定の区域外であるサーバルーム１０外に設置し、仮設サーバ設備２の稼働を開始することを指示する第１の指示情報を出力する。第１の指示出力手段６２１は、例えば、第１の指示情報を出力部６３に出力してもよいし、第１の指示情報を通信部６４に出力することにより、ネットワーク装置３を介して管理者端末７に送信してもよい。
【００４３】
第１の検出手段６２２は、第１の指示出力手段６２１により第１の指示情報が出力されたとき、仮設サーバ設備２の稼働が開始されたか否かを検出する。第１の検出手段６２２は、例えば、仮設サーバ設備２により送信された稼働開始情報をネットワーク装置３を介して受信することにより、仮設サーバ設備２の稼働を検出してもよいし、管理者が管理者端末７を操作することで管理者端末７により送信された稼働開始情報をネットワーク装置３を介して受信することにより、仮設サーバ設備２の稼働を検出してもよい。
【００４４】
第２の指示出力手段６２３は、第１の検出手段６２２により仮設サーバ設備２の稼働が検出されたとき、受付手段６２０により受け付けられた更新対象の既設サーバ１２を撤去するとともに、更新対象の既設サーバ１２を撤去した位置に新設サーバを設置し、新設サーバの稼働を開始することを指示する第２の指示情報を出力する。第２の指示出力手段６２３は、例えば、第２の指示情報を出力部６３に出力してもよいし、第２の指示情報を通信部６４に出力することにより、ネットワーク装置３を介して管理者端末７に送信してもよい。
【００４５】
第２の検出手段６２４は、第２の指示出力手段６２３により第２の指示情報が出力されたとき、新設サーバの稼働が開始されたか否かを検出する。第２の検出手段６２４は、例えば、新設サーバにより送信された稼働開始情報をネットワーク装置３を介して受信することにより、新設サーバの稼働を検出してもよいし、管理者が管理者端末７を操作することで管理者端末７により送信された稼働開始情報をネットワーク装置３を介して受信することにより、新設サーバの稼働を検出してもよい。
【００４６】
第３の指示出力手段６２５は、第２の検出手段６２４により新設サーバの稼働が検出されたとき、仮設サーバ設備２の稼働を停止し、仮設サーバ設備２を撤去することを指示する第３の指示情報を出力する。第３の指示出力手段６２５は、例えば、第３の指示情報を出力部６３に出力してもよいし、第３の指示情報を通信部６４に出力することにより、ネットワーク装置３を介して管理者端末７に送信してもよい。
【００４７】
次に、更新対象の既設サーバを新設サーバに更新する際のサーバ更新方法について説明する。
【００４８】
図４は、本発明の実施形態に係るデータセンタ１において、データセンタ管理装置６が実行するサーバ更新方法を示すフローチャートである。図５は、本発明の実施形態に係るデータセンタ１におけるサーバ更新方法を実行する際のサーバの状態を示し、（ａ）は、更新対象の既設サーバ１２ａを受け付けた状態、（ｂ）は、仮設サーバ設備２がサーバルーム１０外に設置された状態、（ｃ）は、仮設サーバ設備２の稼働が開始された状態を示す説明図である。図６は、本発明の実施形態に係るデータセンタ１におけるサーバ更新方法を実行する際のサーバの状態を示し、（ａ）は、更新対象の既設サーバ１２ａが撤去された状態、（ｂ）は、新設サーバ１２ｂが設置された状態、（ｃ）は、新設サーバ１２ｂの稼働が開始され、仮設サーバ設備２が撤去された状態（サーバ更新後の状態）を示す説明図である。
【００４９】
まず、データセンタ１のサーバルーム１０内には、複数の既設サーバ１２が、図５（ａ）に示すように、複数のラック１１に設置された状態で稼働している。このとき、データセンタ管理装置６は、環境検出装置５により検出されたサーバルーム１０の環境、並びに、記憶部６１に記憶されたサーバルーム設定情報６１０、及び、サーバ設定情報６１１に応じて、既設サーバ１２、液浸冷却装置１３、ネットワーク装置３及び空調装置４に各種コマンドを送信することで、既設サーバ１２、液浸冷却装置１３、ネットワーク装置３及び空調装置４の動作を制御している。
【００５０】
そして、データセンタ１の管理者が、複数の既設サーバ１２のうち、新設サーバに更新する更新対象の既設サーバ１２ａを、データセンタ管理装置６の入力部６０又は管理者端末７を介して入力すると（ステップＳ１００）、データセンタ管理装置６の受付手段６２０が、その入力された更新対象の既設サーバ１２ａを受け付ける（ステップＳ２００）。ここでは、データセンタ管理装置６の受付手段６２０が、図５（ａ）に示すように、４つの既設サーバ１２を、更新対象の既設サーバ１２ａとして受け付けたものとする。
【００５１】
次に、データセンタ管理装置６の第１の指示出力手段６２１は、受付手段６２０により受け付けられた更新対象の既設サーバ１２ａによる情報処理を一時的に代替する可搬型の仮設サーバ設備２をサーバルーム１０外に設置し、仮設サーバ設備２の稼働を開始することを指示する第１の指示情報を出力する（ステップＳ２０１）。ここでは、第１の指示出力手段６２１は、第１の指示情報を通信部６４に出力することにより、第１の指示情報をネットワーク装置３を介して管理者端末７に送信するものとして説明すると、管理者端末７は、第１の指示情報を受信すると、その第１の指示情報を、例えば、表示画面等により管理者に提示する（ステップＳ１１０）。
【００５２】
そして、管理者は、管理者端末７により提示された第１の指示情報を確認すると、可搬型の仮設サーバ設備２を車両２０として走行させることにより、図５（ｂ）に示すように、データセンタ１が設けられた建物の付近、例えば、建物に隣接する駐車場や建物の地下にある駐車場等のサーバルーム１０外に仮設サーバ設備２を設置する（ステップＳ１１１）。なお、仮設サーバ設備２は、仮設サーバ２２が液浸槽２３１に設置された状態にて走行してもよいし、仮設サーバ２２が液浸槽２３１に設置されていない状態にて走行してもよい。
【００５３】
次に、管理者は、図５（ｃ）に示すように、仮設サーバ設備２をネットワーク接続部３０を介してネットワーク装置３に接続するとともに、可搬型の仮設サーバ設備２の稼働を開始する（ステップＳ１１２）。このとき、仮設サーバ設備２では、仮設サーバ２２が、受付手段６２０により受け付けられた既設サーバ１２ａによる情報処理を一時的に代替する仮設サーバ２２として稼働するとともに、液浸冷却部２３が、冷却液２３０を循環することで、液浸槽２３１に収容された仮設サーバ２２を冷却する。なお、仮設サーバ設備２は、仮設サーバ２２の稼働が開始される前に、液浸冷却部２３により仮設サーバ２２を冷却する動作を開始するようにしてもよい。また、仮設サーバ設備２は、車両１０が駐車された場所において、車両２０に搭載された状態で稼働するようにしてもよいし、車体１１から取り外されて、仮設サーバ設備２のみが敷地に設置された状態で稼働するようにしてもよい。
【００５４】
次に、第１の検出手段６２２は、仮設サーバ設備２の稼働を検出すると（ステップＳ２１０）、第２の指示出力手段６２３は、受付手段６２０により受け付けられた更新対象の既設サーバ１２ａを撤去し、更新対象の既設サーバ１２ａを撤去した位置に新設サーバ１２ｂを設置し、新設サーバ１２ｂの稼働を開始することを指示する第２の指示情報を出力部６３に出力する（ステップＳ２１１）。ここでは、第２の指示出力手段６２３は、第２の指示情報を通信部６４に出力することにより、第２の指示情報をネットワーク装置３を介して管理者端末７に送信するものとして説明すると、管理者端末７は、第２の指示情報を受信すると、その第２の指示情報を、例えば、表示画面等により管理者に提示する（ステップＳ１２０）。
【００５５】
そして、管理者は、管理者端末７により提示された第２の指示情報を確認すると、図６（ａ）に示すように、ラック１１ａに設置された更新対象の既設サーバ１２ａを撤去する（ステップＳ１２１）。
【００５６】
次に、管理者は、図６（ｂ）に示すように、更新対象の既設サーバ１２ａが撤去されたラック１１ａに新設サーバ１２ｂを設置する（ステップＳ１２２）。
【００５７】
そして、管理者は、新設サーバ１２ｂをネットワーク装置３に接続するとともに、新設サーバ１２ｂの稼働を開始する（ステップＳ１２３）。このとき、新設サーバ１２ｂは、更新対象の既設サーバ１２ａが撤去されたラック１１に設置されるため、更新対象の既設サーバ１２ａで使用されていた液浸冷却装置１３、ネットワーク装置３、環境検出装置５及び電源装置等を使用することで、新設サーバ１２ｂの稼働を開始する。
【００５８】
次に、第２の検出手段６２４は、新設サーバ１２ｂの稼働を検出すると（ステップＳ２２０）、第３の指示出力手段６２５は、仮設サーバ設備２の稼働を停止し、仮設サーバ設備２を撤去することを指示する第３の指示情報を出力部６３に出力する（ステップＳ２２１）。ここでは、第３の指示出力手段６２５は、第３の指示情報を通信部６４に出力することにより、第３の指示情報をネットワーク装置３を介して管理者端末７に送信するものとして説明すると、管理者端末７は、第３の指示情報を受信すると、第３の指示情報を、例えば、表示画面等により管理者に提示する（ステップＳ１３０）。
【００５９】
そして、管理者は、管理者端末７により提示された第３の指示情報を確認すると、図６（ｃ）に示すように、仮設サーバ設備２の稼働を停止し、仮設サーバ設備２を撤去する（ステップＳ１３１）。
【００６０】
以上のようにして、データセンタ１において、可搬型の仮設サーバ設備２を用いることで更新対象の既設サーバ１２ａを新設サーバ１２ｂに更新する。
【００６１】
（他の実施形態）
以上、本発明の実施形態について説明したが、本発明は上記の実施形態に限定されるものではなく、本発明の技術的思想を逸脱しない範囲で適宜変更可能である。
【００６２】
例えば、上記実施形態では、仮設サーバ２２の冷却方式として、液浸冷却装置１３及び液浸冷却部２３による液浸冷却方式を用いたものとして説明したが、例えば、空冷方式や水冷方式等を用いてもよい。
【００６３】
また、上記実施形態では、可搬型の仮設サーバ設備２は、車両２０として、トラックに搭載したものとして説明したが、仮設サーバ設備２は、可搬型であればよく、例えば、無人搬送車、運搬台車等に搭載してもよい。
【００６４】
また、上記実施形態では、サーバ更新プログラム６１２は、記憶部６１に記憶されたものとして説明したが、インストール可能な形式又は実行可能な形式のファイルでＣＤ−ＲＯＭ、ＤＶＤ（Ｄｉｇｉｔａｌ  Ｖｅｒｓａｔｉｌｅ  Ｄｉｓｋ）等のコンピュータで読み取り可能な記録媒体に記録されて提供されてもよい。また、サーバ更新プログラム６１２は、インターネット等のネットワークに接続されたコンピュータ上に格納し、ネットワーク経由でダウンロードさせることにより提供されてもよい。
【００６５】
以上のように、本発明の実施形態に係るサーバ更新方法及びデータセンタ管理装置６は、サーバルーム１０内に設置された複数の既設サーバ１２のうち、更新対象の既設サーバ１２ａによる情報処理を一時的に代替する可搬型の仮設サーバ設備２をサーバルーム１０外に設置した後、更新対象の既設サーバ１２ａを撤去した位置に新設サーバ１２ｂを設置し、新設サーバ１２ｂの稼働を開始した後、仮設サーバ設備２を撤去するものである。
【００６６】
そのため、更新対象の既設サーバ１２ａによる情報処理を一時的に代替する仮設サーバ設備２は、サーバルーム１０外に設置されるので、サーバルーム１０内にサーバを更新するために余分なスペースを必要としない。また、新設サーバ１２ｂは、更新対象の既設サーバ１２ａを撤去した位置に設置されるので、新設サーバ１２ｂでは、既設サーバ１２ａで使用されていた付帯設備として、液浸冷却装置１３、ネットワーク装置３、環境検出装置５及び電源装置等を使用することができるため、付帯設備を整備する作業を軽減することができる。さらに、新設サーバ１２ｂは、更新対象の既設サーバ１２ａを撤去した位置に設置されるので、サーバの更新前後で空調環境が大きく変わらないため、空調装置４の性能を検証する作業を軽減することができる。
【００６７】
また、本発明の実施形態に係るサーバ更新方法及びデータセンタ管理装置６は、既設サーバ１２ａ、仮設サーバ設備２及び新設サーバ１２ｂの稼働状態の検出結果に応じて、第１乃至第３の指示情報を出力するので、管理者が、仮設サーバ設備２を用いて更新対象の既設サーバ１２ａを新設サーバ１２ｂに更新する作業を円滑に行うことができる。
【００６８】
また、本発明の実施形態に係る仮設サーバ設備２は、冷却装置として構成が簡易でコンパクトであるという特徴を有する液浸冷却部２３を車両２０に搭載し、液浸冷却部２３により仮設サーバ２２を冷却するので、仮設サーバ設備２を安定的に動作させるとともに、仮設サーバ設備２の可搬性を向上させることができる。
【符号の説明】
【００６９】
１…データセンタ、２…仮設サーバ設備（サーバ設備）、
３…ネットワーク装置、４…空調設備、５…環境検出装置、
６…データセンタ管理装置（サーバ更新装置）、７…管理者端末、
１０…サーバルーム（所定の区域）、１１、１１ａ…ラック、
１２、１２ａ…既設サーバ、１２ｂ…新設サーバ、１３…液浸冷却装置、
２０…車両、２１…車体、２２…仮設サーバ（情報処理部）、
２３…液浸冷却部、３０…ネットワーク接続部、
６０…入力部、６１…記憶部、６２…制御部、
６３…出力部、６４…通信部、１２０…液浸用サーバ
１３０…冷却液、１３１…液浸槽、１３２…第１の循環流路、
１３３…熱交換器、１３４…第２の循環流路、１３５…冷媒、
１３６…チラー、１３７…第１の循環ポンプ、１３８…第２の循環ポンプ、
２３０…冷却液、２３１…液浸槽、２３２…第１の循環流路、
２３３…熱交換器、２３４…第２の循環流路、２３５…冷媒、
２３６…チラー、２３７…第１の循環ポンプ、２３８…第２の循環ポンプ、
６１０…サーバルーム設定情報、６１１…サーバ設定情報、
６１２…サーバ更新プログラム、
６２０…受付手段、６２１…第１の指示出力手段、
６２２…第１の検出手段、６２３…第２の指示出力手段、
６２４…第２の検出手段、６２５…第３の指示出力手段
【図１】
2020024617.tif 000003
【図２】
2020024617.tif 000004
【図３】
2020024617.tif 000005
【図４】
2020024617.tif 000006
【図５】
2020024617.tif 000007
【図６】
2020024617.tif 000008